(57)【要約】【課題】  本発明は、改良された走行特性を有する一般的なレールシステムを提案する。【解決手段】  本発明は家具本体（２）に固定される本体レール（６）と本体レール（６）に対して可動な少なくとも一本の引出しレール（７）とを含んだ引出し（３）用のレールシステム（４）に関し、レールシステム（４）のレール（６、７、１０）上に配置された少なくとも一つのギヤラック（９）をさらに含んでおり、ギヤラック（９）はレール（６、７、１０）に対して旋回または屈曲可能であり、ギヤラックがレール（６、７、１０）にレール（６、７、１０）の引出し方向に延伸する想像上の軸（Ａ）周囲で固定されており、よってギヤラックは制限式に垂直方向に移動できる。
2013514842.tif 000002
【特許請求の範囲】
【請求項１】
引出し用のレールシステム（４）であって、
家具枠体（２）に固定される枠体レール（６）と、
該枠体レール（６）に対して可動な少なくとも一本の引出しレール（７）と、
本レールシステム（４）のレール（６、７、１０）上に配置された少なくとも一つのラック（９）とを含んでおり、
前記ラック（９）は、前記レール（６、７、１０）に対して旋回又は屈曲し、
前記ラック（９）は、前記レール（６、７、１０）の延出方向に延伸する概念的軸（Ａ）周囲で前記レール（６、７、１０）に固定されることで、高さ方向に制限されるように可動に取り付けられていることを特徴とするレールシステム。
【請求項２】
前記ラック（９）は、弾性を有する凹部分(15)によって高さ方向に制限されるように、可動に取り付けられていることを特徴とする請求項１記載のレールシステム。
【請求項３】
前記ラック（９）は、前記レール（６、７、１０）の一つに薄膜状のヒンジ（１５ａ）によって接続されていることを特徴とする請求項１または２記載のレールシステム。
【請求項４】
前記ラック（９）は、アダプタ（１９）上に配置または提供されており、前記アダプタ（１９）は少なくとも一つの固定位置（２１ａ、２１ｂ）によって前記レール（６、７、１０）の一つに接続または着脱式に接続されていることを特徴とする請求項１から３のいずれかに記載のレールシステム。
【請求項５】
前記アダプタ（１９）は実質的にＬ形状体であり、該Ｌ形状体の脚部（１９ａ）の取付位置で前記枠体レール（６）の垂直リムに接し、前記Ｌ形状体の他方の脚部（１９ｂ）は前記枠体レール（６）の水平リムに接することを特徴とする請求項４記載のレールシステム。
【請求項６】
前記アダプタ（１９）は、本レールシステム（４）への適切な取付けのために枠体レール（６）と前記家具枠体（２）との間でネジ留めされることを特徴とする請求項４または５記載のレールシステム。
【請求項７】
前記ラック（９）に係合する少なくとも一つのピニオン（８）が提供されていることを特徴とする請求項１から６のいずれかに記載のレールシステム。
【請求項８】
前記ラック（９）は前記枠体レール（６）上に配置されており、前記ピニオン（８）は前記引出しレール（７）または前記引出し（３）上に取り付けられていることを特徴とする請求項７記載のレールシステム。
【請求項９】
前記ラック（９）は前記引出しレール（７）上に配置されており、前記ピニオン（８）は前記枠体レール（６）または前記家具枠体（２）上に取り付けられていることを特徴とする請求項７記載のレールシステム。
【請求項１０】
前記ラック（９）に対する前記ピニオン（８）の係合の深さを制限する制限装置（１８）が提供されており、前記ピニオン（８）の歯部（８ａ）は前記ラック（９）の対応する歯部の間隙（９ａ）に部分的にのみ係合することを特徴とする請求項７または８記載のレールシステム。
【請求項１１】
前記制限装置（１８）は本レールシステムの長手方向に配置された部分（１８ｂ）の走行面上を走行する走行輪（１８ａ）を有することを特徴とする請求項１０記載のレールシステム。
【請求項１２】
前記走行輪（１８ａ）は前記ピニオン（８）の回転軸に対して共軸的に取り付けられていることを特徴とする請求項１１記載のレールシステム。
【請求項１３】
前記制限装置（１８）は、前記ラック（９）の下で係合し、それによって前記ラック（９）に対する前記ピニオン（８）の上昇幅が制限できる少なくとも一つの延出部（１８ｃ）を有することを特徴とする請求項１０から１２のいずれかに記載のレールシステム。
【請求項１４】
請求項１から１３のいずれかに記載の２つのレールシステムを含んだ構造体であって、
これら２つのレールシステム（４）は、家具（１）の両側壁にそれぞれ固定され、該レールシステム（４）は、同期バー（５）によって同期的動作の伝達のために連結されており、
少なくとも一つのそれぞれの前記ピニオン（８）が、該レールシステム（４）のそれぞれのラック（９）に係合することを特徴とする構造体。
【請求項１５】
請求項１４記載の構造体を含んだ家具。
【発明の詳細な説明】
【技術分野】
【０００１】
本発明は引出しのレールシステムに関する。このレールシステムは、家具本体に固定される枠体レールと、その枠体レールに対して可動な少なくとも一本の引出しレールと、レールシステムのレール上に配置される少なくとも一つのラックとを含んでいる。
【０００２】
本発明はさらに、以下で解説される種類の２つのレールシステムの構造体にも関する。これらレールシステムは家具の両側壁に取り付けられ、同期バーによって同期動作の伝達のために連結されている。
【背景技術】
【０００３】
このようなレールシステムは通常、ラック・ピニオン構造体によって家具の両側に存在する２つの引出し延出ガイドの動作を同期化するために使用されている。これによって延出家具部（特に引出し）は正確に平行に案内（ガイド）される。この家具枠体に対する平行な案内は、特に、非常に狭いか、又は、非常に幅広い引出しが移動するときに有利である。そのような場合、引出しの横方向への傾斜がこの並行案内効果によってほぼ防止できる。この両側に配置されたレールシステムは延出方向に対して横方向に延出する同期バーによって頻繁に（高い頻度で）同期化される。同期バーの両端領域には、同期化されるレールシステムのラックにそれぞれ係合するピニオンが取り付けられている。本出願人のＥＰ１０３６５２６Ｂ１は、ラック・ピニオン構造体を有するそのような平行ガイド（案内）構造体について開示している。公知のレールシステムでは、ラックとピニオンとの間のロック接続がレールシステムの動作不良につながるという問題が時々発生し、通常の使用における引出しの望まない動作阻害が生じる。
【０００４】
ＤＥ４３０１３２６Ａ１は引出し延出構造体について解説しており、そこでは枠体レールと引出レールに歯型ラックが可動式に取り付けられており、それぞれの固定端から全体の長さにわたって自由に突き出ることができるようになっている。この場合ラックの屈曲性の軸はレールの延出方向に対してほぼ直角に延びている。
【先行技術文献】
【特許文献】
【０００５】
【特許文献１】欧州特許願１０３６５２６Ｂ１号
【特許文献１】ドイツ国特許願４３０１３２６Ａ１号
【発明の概要】
【発明が解決しようとする課題】
【０００６】
本発明の目的は、本明細書の当初部分で述べたような、改良された走行特性を有する一般的なレールシステムを提案することである。
【課題を解決するための手段】
【０００７】
本発明によれば、それは請求項１の特徴によって達成される。本発明のさらなる有利な形態は従属請求項において記載されている。
【０００８】
このように、レールの延出方向に延びる概念的軸の周囲でレールに対して固定され、上下に制限式に可動に取り付けられた旋回可能または屈曲可能なラックが提供される。
【０００９】
高さ方向に弾性的に取り付けられたラックは、動作不良状態になるとピニオンに対して凹むため、ラックを上下に制限して可動に取り付けることで、引出しを引き出すか押し込むときに、ピニオンとラックとの間の捩れを防止することができる。この場合にも、ピニオンとラックとの間のロック接続は維持される。したがってラックは自身の弾力性によって、またはバネの力によってピニオン側に弾力的に予圧が可能である。
【００１０】
１実施態様では、ラックは弾性凹み部分によって高さ方向に制限されるように可動に取り付けられている。この弾性凹み領域は、垂直変形後にラックが自動的に元の開始位置に戻るようになっている。
【００１１】
本発明の１実施態様では、ラックはレールの一方にフィルムヒンジによって接続されている。ラックと、静止状態または高さ方向に不動なレール部分との間のそのような一体型ヒンジ接続は、薄壁接続（例えばレールの延伸方向に延びる溝）によって実現できる。ラックを長手軸周囲で旋回させる屈曲性ヒンジを使用することは同様に有利であり可能である。
【００１２】
本発明の応用実施態様では、ラックはアダプタ上に配置されており、アダプタは少なくとも一箇所の固定位置で、レールの一方に接続されているか、または解放可能に接続されている。この点で、アダプタがほぼＬ形であることが望ましく、取り付け位置では、Ｌ形の一本の脚部（リム）が枠体レールの垂直部に接し、Ｌ形のもう一本の脚部（リム）は枠体レールの水平部に接する。家具枠体へのレールシステムの取り付けと同時に固定されるアダプタによって簡易な固定が実行できる。
【００１３】
少なくとも一つのピニオンがレールシステムのラックに係合する。ラックに係合するピニオンは、平行案内ピニオンとして、直接的にまたは間接的に同期バーに連結可能である。特に、ピニオンと同期バーとの間の非回転式接続が可能である。
【００１４】
第１実施例では、ラックは枠体レールまたは家具枠体に配置されており、ピニオンは引出しレールまたは引出しに取り付けられている。別な実施例では、ラックは引出しレールまたは引出しに配置されており、ピニオンは枠体レールまたは家具枠体に取り付けられている。
【００１５】
本発明のさらなる詳細と利点は後述する詳細な説明によって解説する。
【図面の簡単な説明】
【００１６】
【図１】両側に配置されたレールシステムによって家具枠体に対して移動可能に取り付けられた引出しを備えた家具を示す斜視図である。
【図２ａ】引出し動作の同期化のために提供されたラックが枠体レール上に配置されているレールシステムと、引出しの上に配置されたラックの斜視図である。
【図２ｂ】引出し動作の同期化のために提供されたラックが枠体レール上に配置されているレールシステムと、引出しの上に配置されたラックの斜視図である。
【図３ａ】ラックがフィルムヒンジによって枠体レールに接続されたレールシステムの断面図とその拡大詳細図である。
【図３ｂ】ラックがフィルムヒンジによって枠体レールに接続されたレールシステムの断面図とその拡大詳細図である。
【図４ａ】レールシステムを後方から見た図とその斜視図である。
【図４ｂ】レールシステムを後方から見た図とその斜視図である。
【図５ａ】ラックを運搬するアダプタを備えた本発明の１実施例の斜視分解図と、レールシステムの取付位置の断面図である。
【図５ｂ】ラックを運搬するアダプタを備えた本発明の１実施例の斜視分解図と、レールシステムの取付位置の断面図である。
【図６ａ】家具枠体の両側の２本のレールシステムの動作の同期化のために提供された同期バーの１実施例の斜視図と断面図であり、同期バーはヒンジを有している。
【図６ｂ】家具枠体の両側の２本のレールシステムの動作の同期化のために提供された同期バーの１実施例の斜視図と断面図であり、同期バーはヒンジを有している。
【発明を実施するための形態】
【００１７】
図１は、引出し３がレールシステム４によって家具枠体２に対して移動可能に取り付けられたキャビネット形態の家具枠体２を有する家具１の斜視図である。引出し３の両側にはレールシステム４が配置されており、２つのレールシステムは家具枠体２の両側の側壁にそれぞれ固定されている。引出し３の延伸方向に対して横断するように延びるトーションシャフト形態の同期バー５が図示されている。２つのレールシステム４の動きは同期バー５によって互いに同期化され、この構成によって家具枠体２に対する引出し３の正確な平行な案内の提供が可能である。２つのレールシステム４はそれぞれ家具枠体２に取り付けられる枠体レール６と、枠体レール６に対して移動可能な少なくとも一本の引出しレール７とを有する。同期バー５の目的は、引出し３が横方向に傾斜することなく家具枠体２から引き出され、又は、枠体に押し込まれるよう、左側と右側の引出しレール７の動きを互いに同期化することである。端部領域で同期バー５は、少なくとも一つの回転式に取り付けられ、レールシステム４のラック９と噛合するピニオン８を有する。逆に、ラック９を引出し３または引出しレール７に取り付け、関連するピニオン８を枠体レール６または家具枠体２に取り付けることが可能であることも理解されよう。
【００１８】
図２ａは、家具枠体２に取り付けられる枠体レール６と、変位可能な引出しレール７とを備えたレールシステム４の斜視図である。引出し３が家具枠体２に対して完全に延伸するよう、枠体レール６と引出しレール７との間に中間レール１０が知られた方法で移動式に取り付けられている。個別のレールシステム４のレール移動の同期化のため、中間レール１０に回転式に取り付けられたピニオンを備えた同期装置１１が提供されており、引出しレール７が中間レール１０の約２倍の速度で移動するよう、スライドの進行に従って可動レール７と１０とを互いに制御することができる。取付ブロック１２が延伸可能な引出しレール７に固定式に接続されている。ラック９に係合する図１のピニオン８は取付ブロック１２内に収容される。ラック９は引出し３の延伸方向に延伸し、実質的にレール６、７、１０の全長にわたって延伸し、本実施例では枠体レール６の全長にわたって延伸する。ラック９をレール６、７、１０の一部にわたってのみ延伸させることも可能であることは理解できよう。引出し３が延伸方向１３に引き出されると、引出しレール７はその上に取り付けられた取付ブロック１２と、同期バー５と共に前方にラック９に沿って移動し、ピニオン８もラック９に沿って移動する。２つのレールシステム４のピニオン８の家具枠体２の両側での移動は同期バー５によって同期化されることができる。
【００１９】
図２ｂはその機構を反転した配置を示したものを示す。すなわちピニオン８を備えた取付ブロック１２が枠体レール６（または家具枠体２）に取り付けられている状態と、ラック９が引出しレール７（または引出し３にも）に取り付けられている状態を概略的に示しているだけである。
【００２０】
図３ａは、静止枠体レール６と、静止枠体レールに対して可動な中間レール１０と、引出しレール７とを有するレールシステム４の垂直断面図である。荷重伝達回転体を備えた移動可能な走行台車１４ａと１４ｂはレール６、７、１０との間に取り付けられている。図示の実施例では、ラック９は弾性領域１５を介して枠体レール６の静止部分に接続されている。図３ｂは図３ａの丸で囲んだ領域の拡大図である。弾性を有する凹み領域１５は図示の実施例ではフィルム（薄い膜状の）ヒンジ１５ａであり、すなわち溝１６の形態のレール６、７、１０の縦方向に延びるレール６の局所的な弱体部によって具現化されており、これによってラック９に上方向の部分的な柔軟性を提供している。ピニオン８とラック９との間の動作不良のリスクはこの構成で実質的に減少する。ラック９の高さ方向に可動な取り付けも柔軟なヒンジによって可能であり、図示の双頭矢印で示すように、ラック９は高さ方向に制限式に可動となる。ラック９はこのようにレール６に対して延伸方向１３（図２ａ）に延伸する概念的軸（Ａ）の周囲で旋回可能か、折り曲げ可能であり、これにより高さ方向への移動が制限されるように可動（移動可能に）に取り付けられている。ヒンジまたは軸（Ａ）は確定的な位置（例えばフィルムヒンジの弱体部）である必要はない。むしろ、ラック９は、それ自身が弾力的に折り曲げ可能な形態で、長手方向の自由端で下方に曲がることができるものでもよい。
【００２１】
図４ａはレールシステム４に接続された引出し３を後方から見た図である。取付ブロック１２は引出しレール７に固定式に取り付けられており、ラック９に係合するピニオン８は枠体レール６に接続されている。家具枠体２の両側の２つのレールシステム４のピニオン８の回転運動は同期バー５によって互いに同期化される。図示の実施例では、同期バー５は２つの部材からなる構造であり、継手部１７によって共に接続された２本のシャフト部５ａと５ｂを含んでいる。同期バー５の継手部１７は２つの両側に配置されたレールシステム４の設置誤差、高さ誤差および角度のずれを補正することができる。継手部１７がこのような構造であるので、２本のシャフト部５ａと５ｂの互いの回転運動が可能となる。
【００２２】
図４ｂは閉位置にあるレールシステム４を後方から見た斜視図である。レールシステム４は、ピニオン８の歯部８ａがラック９の対応する歯部の間隙９ａに部分的のみ係合するように、ラック９に対するピニオン８の係合程度（係合の深さ）を制限する制限装置１８を有する。制限装置１８は、ピニオン８に対して共軸式に回転するように取り付けられた走行輪１８ａ（好適には摩擦車の形態）を含んでいる。走行輪１８ａの直径はピニオン８の直径よりも小さい。ラック９のほぼ全長にわたって延びる（好適には弾性的に凹む）部材１８ｂが図示されている。走行輪１８ａはプラスチック製の部材１８ｂの走行面に沿って走行し、これにより、ピニオン８の歯部８ａはラック９の歯部間隙９ａに完全に係合することができない。これによってピニオン８とラック９との間の動作不良を効果的に阻止でき、通常の使用での引出し３の動作不良リスクも防止する。制限装置１８は、ラック８の下で係合し、それによってラック９に対するピニオン８の上昇幅（上昇高）が制限できる延出部１８ｃも含んでいる。図示の実施例では、延出部１８ｃは取付けブロック１２の一部であり、引出し３を動かすと、静止ラック９に沿って移動できる。プラスチック製の部材１８ｂは本質的にピニオン８とラック９との間のクッションとして作用し、ピニオン８を遊びなし（ｐｌａｙ−ｆｒｅｅ  ｆａｓｈｉｏｎ）に低ノイズで案内する。
【００２３】
図５ａはレールシステム４の分解図であり、ラック９は略Ｌ形状のアダプタ（補助器具）１９上に提供されている。アダプタ１９は互いにほぼ直角に配置された２本の脚部１９ａと１９ｂとを含んでいる。ラック９は脚部１９ｂに取り付けられている。アダプタ１９は、工場加工または後付けとして、引出し３用の商業的に入手可能な延出ガイド（枠体レール６とそれに対して移動可能な少なくとも一本の引出しレール７を含む）をラック９に装着するのに特に適している。アダプタ１９はプラスチック製または金属製でよい。アダプタは、枠体レール６の固定部位６ａと６ｂと整合する固定部位２１ａと２１ｂを有している。したがって取付け作業では、ネジが枠体レール６の固定部位６ａと６ｂ、およびアダプタ１９の固定部位２１ａと２１ｂを貫通して家具枠体２にネジ留めされる。アダプタ１９の固定部位２１ａと２１ｂは実施可能な一例である。アダプタ１９とレールシステム４との間にスナップ式接続部を提供することも可能である。
【００２４】
図５ｂは、家具枠体２に固定される図５ａの枠体レール６を示している。取付け作業において、アダプタ１９の脚部１９ａは枠体レール６と家具枠体２との間にネジ留めされる。アダプタの下方脚部１９ｂは、引出し２の移動中にピニオン８とラック９との間の動作不良を阻止するため、ラック９が高さ方向に制限式に取り付けられるように弾性を有する。
【００２５】
図６ａは、家具枠体２の両側の２つのレールシステム４の同期化のために提供される同期バー５の１実施例を示している。同期バー５は２つの部材からなる形態であり、継手部１７によって接続される２本のシャフト部分５ａと５ｂとを含んでいる。継手部１７は２本のシャフト部５ａと５ｂを互いに放射状に移動させる。継手部１７は、特にカルダン継手（ｃａｒｄａｎ  ｊｏｉｎｔ）またはボール継手（ｂａｌｌ  ｊｏｉｎｔ）であるシャフト継手の形態でよい。このように、家具枠体２の両側のレールシステム４の相対的ずれの補正を可能にする。図６ｂは、図６ａの２本のシャフト部５ａと５ｂを備えた同期バー５の断面図である。シャフト部５ａと５ｂ上に配置され、継手部１７の対応する歯構造体に係合するギヤヘッド２０が図示されている。
【００２６】
本発明は解説した実施例に限定されず、添付の請求の範囲内の全ての技術的均等物を含んでいる。上、下、横など、説明で採用した位置的関係は直接的に解説した図面に関するものであって、全体位置の変化に応じて新しい位置に適宜変更されるべきものである。
【図１】
2013514842.tif 000003
【図２ａ】
2013514842.tif 000004
【図２ｂ】
2013514842.tif 000005
【図３ａ】
2013514842.tif 000006
【図３ｂ】
2013514842.tif 000007
【図４ａ】
2013514842.tif 000008
【図４ｂ】
2013514842.tif 000009
【図５ａ】
2013514842.tif 000010
【図５ｂ】
2013514842.tif 000011
【図６ａ】
2013514842.tif 000012
【図６ｂ】
2013514842.tif 000013
【国際調査報告】
2013514842.tif 000014
2013514842.tif 000015
2013514842.tif 000016
2013514842.tif 000017